(57)【特許請求の範囲】
【請求項１】
ベースに移動可能に保持された操作部材の操作ノブを操作して空調装置を制御する空調コントロール装置において、
前記操作部材を前記ベースにスライド可能に保持するとともに、該操作部材の前面に前記操作ノブを、後面に第１ギヤ部をそれぞれ設け、
前記ベースにプーリを回転可能に軸支し、該プーリに、前記操作部材の第１ギヤ部に噛合する第２ギヤ部を形成し、
空調装置に連なるインナケーブルを前記プーリに巻装し、
前記ベースと前記操作部材の一方に横方向に延びるレール状凹部、他方に前記レール状凹部に前後方向に係合するレール状凸部をそれぞれ形成するとともに、
前記ベースに、前記操作部材と横方向に係合して該操作部材を前記レール状凹部と前記レール状凸部とが横方向にずれた所定の組付位置に位置決めする位置決め部を設けたことを特徴とする空調コントロール装置。
【請求項２】
前記操作部材の操作ノブに照明部を設けるとともに、該操作ノブと前記第１ギヤ部とを上下方向に離して配置し、
前記ベースに、前記操作ノブの照明部を照明する光源を配置するとともに、前記第１ギヤ部と前記第２ギヤ部との噛合を許容する貫通孔を形成したことを特徴とする請求項１記載の空調コントロール装置。
【請求項３】
前記位置決め部を、前記レール状凹部と前記レール状凸部の対向する側の各端面が横方向に前記第１及び第２ギヤ部のギヤの１ピッチ以内の長さ範囲でずれた位置となるよう前記操作部材を位置決めするよう構成したことを特徴とする請求項１又は２記載の空調コントロール装置。
【請求項４】
ベースに移動可能に保持された操作部材の操作ノブを操作して空調装置を制御する空調コントロール装置において、
前記操作部材を前記ベースにスライド可能に保持するとともに、該操作部材の前面に前記操作ノブを、後面に第１ギヤ部をそれぞれ設け、
前記ベースにプーリを回転可能に軸支し、該プーリに、前記操作部材の第１ギヤ部に噛合する第２ギヤ部を形成し、
空調装置に連なるインナケーブルを前記プーリに巻装し、
前記ベースと前記操作部材の一方に横方向に延びるレール状凹部、他方に前記レール状凹部に前後方向に係合するレール状凸部をそれぞれ形成するとともに、
前記ベースに、前記レール状凹部と前記レール状凸部との係合状態が維持される前記操作部材の操作範囲を規制する規制面を備えた弾性変形可能なストッパ部を一体的に設け、
前記操作部材の前記ベースに対する装着方向への移動操作によって前記ストッパ部が前記操作部材に当接して弾性変形することによって前記操作部材の前記操作範囲内への移動を許容するとともに、前記ストッパ部の前記操作部材との係合が解除された後は、該ストッパ部が弾性復帰して前記ベースの前記規制面が前記操作部材に当接することによって該操作部材の前記操作範囲外への移動を阻止するよう構成したことを特徴とする空調コントロール装置。
【発明の詳細な説明】
【技術分野】
【０００１】
本発明は、車両に搭載された空調装置を操作ノブの操作によって制御するための空調コントロール装置に関するものである。
【背景技術】
【０００２】
車両には、空調装置の温度調整や送風モードを切り替えるための空調コントロール装置が設けられている。この空調コントロール装置には、ベースに回動操作可能に軸支されたレバーが設けられており、このレバーの一端には手動操作用の操作ノブが設けられ、他端には空調装置を連動操作するためのワイヤーが連結されている（例えば、特許文献１参照）。
【０００３】
上記ワイヤーは、端部がベースと空調装置にそれぞれ固定された円筒状のアウタワイヤーと、該アウタワイヤーの内部に摺動可能に挿通するインナワイヤーとで構成されている。そして、ユーザーが操作ノブを操作してレバーを回動させると、該レバーに一端が連結されたインナワイヤーがアウタワイヤー内を進退動し、該インナワイヤーの他端に連結された空調装置の例えば温度調整用ドアが作動して所望の温度調整がなされる。
【先行技術文献】
【特許文献】
【０００４】
【特許文献１】特開平８−３２０７３１号公報
【発明の概要】
【発明が解決しようとする課題】
【０００５】
しかしながら、従来の空調コントロール装置においては、空調装置の温度調整用ドアを作動させるために必要なインナワイヤーの移動量を確保するためにはレバーを長くしないと対応できないことがあり、このような場合、空調コントロール装置の奥行きが長くなって当該空調コントロール装置が大型化するという問題がある。
【０００６】
又、ワイヤーは、一般的に車両のセンタパネルに設けられた空調コントロール装置からグローブボックスの裏側に設けられた空調装置まで他の部品との干渉を避けつつ配索されるが、該ワイヤーが曲がってしまうとレバーの操作力に影響があるため、ワイヤーをなるべく曲がらないように配索する必要がある。そのため、ワイヤーがなるべく曲がらないようにするためにグローブボックスを変形させる等の対応が必要な場合があり、この場合にはグローブボックスの容量が減少するという問題も発生する。
【０００７】
本発明は上記問題に鑑みてなされたもので、その目的とする処は、小型化とケーブルの配置の容易化を図ることができる空調コントロール装置を提供することにある。
【課題を解決するための手段】
【０００８】
上記目的を達成するため、請求項１記載の発明は、ベースに移動可能に保持された操作部材の操作ノブを操作して空調装置を制御する空調コントロール装置において、
前記操作部材を前記ベースにスライド可能に保持するとともに、該操作部材の前面に前記操作ノブを、後面に第１ギヤ部をそれぞれ設け、
前記ベースにプーリを回転可能に軸支し、該プーリに、前記操作部材の第１ギヤ部に噛合する第２ギヤ部を形成し、
空調装置に連なるインナケーブルを前記プーリに巻装し、
前記ベースと前記操作部材の一方に横方向に延びるレール状凹部、他方に前記レール状凹部に前後方向に係合するレール状凸部をそれぞれ形成するとともに、
前記ベースに、前記操作部材と横方向に係合して該操作部材を前記レール状凹部と前記レール状凸部とが横方向にずれた所定の組付位置に位置決めする位置決め部を設けたことを特徴とする。
【０００９】
請求項２記載の発明は、請求項１記載の発明において、前記操作部材の操作ノブに照明部を設けるとともに、該操作ノブと前記第１ギヤ部とを上下方向に離して配置し、
前記ベースに、前記操作ノブの照明部を照明する光源を配置するとともに、前記第１ギヤ部と前記第２ギヤ部との噛合を許容する貫通孔を形成したことを特徴とする。
【００１１】
請求項３記載の発明は、請求項１又は２記載の発明において、前記位置決め部を、前記レール状凹部と前記レール状凸部の対向する側の各端面が横方向に前記第１及び第２ギヤ部のギヤの１ピッチ以内の長さ範囲でずれた位置となるよう前記操作部材を位置決めするよう構成したことを特徴とする。
【００１２】
請求項４記載の発明は、ベースに移動可能に保持された操作部材の操作ノブを操作して空調装置を制御する空調コントロール装置において、
前記操作部材を前記ベースにスライド可能に保持するとともに、該操作部材の前面に前記操作ノブを、後面に第１ギヤ部をそれぞれ設け、
前記ベースにプーリを回転可能に軸支し、該プーリに、前記操作部材の第１ギヤ部に噛合する第２ギヤ部を形成し、
空調装置に連なるインナケーブルを前記プーリに巻装し、
前記ベースと前記操作部材の一方に横方向に延びるレール状凹部、他方に前記レール状凹部に前後方向に係合するレール状凸部をそれぞれ形成するとともに、
前記ベースに、前記レール状凹部と前記レール状凸部との係合状態が維持される前記操作部材の操作範囲を規制する規制面を備えた弾性変形可能なストッパ部を一体的に設け、
前記操作部材の前記ベースに対する装着方向への移動操作によって前記ストッパ部が前記操作部材に当接して弾性変形することによって前記操作部材の前記操作範囲内への移動を許容するとともに、前記ストッパ部の前記操作部材との係合が解除された後は、該ストッパ部が弾性復帰して前記ベースの前記規制面が前記操作部材に当接することによって該操作部材の前記操作範囲外への移動を阻止するよう構成したことを特徴とする。
【発明の効果】
【００１３】
請求項１記載の発明によれば、ユーザーが操作ノブを操作して操作部材をベースに対してスライドさせれば、操作ノブのスライド操作力が操作部材の第１ギヤ部とプーリの第２ギヤ部を経てプーリに回転力として伝達されるため、該プーリが回動してこれに巻装されたケーブルが押し引き操作され、該ケーブルに連なる空調装置が制御される。そして、このような構成にはレバーを使用しないため、空調装置の温度調整用ドア等を作動させるために必要なケーブルの移動量を従来のようにレバーの長さを長くすることなく確保することができ、これによって空調コントロール装置の奥行き幅を縮小して当該空調コントロール装置の小型化を図ることができる。
【００１４】
又、プーリに巻装されたケーブルを多少曲げて配設しても、操作ノブの操作力に与える影響は軽微であるため、ケーブルとの干渉を避けるためにグローブボックスを変形させる等の対応が不要となり、グローブボックスの容量が減少する等の不具合の発生が防がれる。更に、第１ギヤ部が設けられた操作部材を所定の組付位置に位置決めする位置決め部をベースに設けたため、第１ギヤ部と第２ギヤ部とを所定の噛み合い位置で容易に噛合させることができ、当該空調コントロール装置の組付性が高められる。
【００１５】
請求項２記載の発明によれば、操作部材において操作ノブと第１ギヤ部とを上下方向に離して配置したため、操作ノブの背面側に照明用の光源を配置することができ、導光用のレンズ等を用いることなく、簡単な構成で操作ノブを照明することができる。又、ベースに形成された貫通孔を介して操作部材の１ギヤ部とプーリの第２ギヤ部とを確実に噛合させることができる。
【００１６】
請求項３記載の発明によれば、第１ギヤ部が設けられた操作部材を所定の組付位置に位置決めする位置決め部をベースに設けたため、第１ギヤ部と第２ギヤ部とを所定の噛み合い位置で容易に噛合させることができ、当該空調コントロール装置の組付性が高められる。
【００１７】
請求項３記載の発明によれば、レール状凹部とレール状凸部が前後方向に重なる位置ではベースと操作部材の組み付けができず、レール状凹部とレール状凸部が前後方向に重ならないように両者をずらす横方向にはそのずれ量がベースの位置決め部によって所定の値（第１及び第２ギヤ部のギヤの１ピッチ以内の長さ範囲）に規制される。従って、操作部材はベースの位置決め部によって位置決めされる所定の組付位置でなければベースに組み付けることができず、第１ギヤ部と第２ギヤ部とを所定の噛み合い位置で確実に噛合させて組み付けることができる。
【００１８】
請求項４記載の発明によれば、ベースに設けられたストッパ部は、弾性変形によって操作部材の操作範囲内への移動を許容するとともに、操作部材が操作範囲内へ一旦挿入された後は弾性復帰して操作部材の操作範囲外への移動を阻止するため、操作部材をベースに装着した後に別部材のストッパ部を後からベースに固定する等の作業が不要となり、当該空調コントロール装置の構造単純化と組付性の向上を図ることができる。
【図面の簡単な説明】
【００１９】
【図１】本発明に係る空調コントロール装置の分解斜視図である。
【図２】本発明に係る空調コントロール装置の正面図である。
【図３】本発明に係る空調コントロール装置の前面パネルを取り外して示す側面図である。
【図４】本発明に係る空調コントロール装置の前面パネルを取り外して示す平面図である。
【図５】図２のＡーＡ線断面図である。
【図６】図２のＢ−Ｂ線断面図である。
【図７】本発明に係る空調コントロール装置の操作部材の背面図である。
【図８】本発明に係る空調コントロール装置の組立手順（操作部材をベースに組み込む前の状態）を示す平断面図である。
【図９】（ａ）は本発明に係る空調コントロール装置の組立手順（操作部材をベースに組み込む途中の状態）を示す平断面図、（ｂ）は同状態における操作部材とベースとの係合状態を示す正面図である。
【図１０】（ａ）は本発明に係る空調コントロール装置の組立手順（操作部材をベースに組み込んで右端に移動させた状態）を示す平断面図、（ｂ）は同状態における操作部材とベースとの係合状態を示す正面図である。
【図１１】（ａ）は本発明に係る空調コントロール装置の組立手順（操作部材をベースに組み込んで左端に移動させた状態）を示す平断面図、（ｂ）は同状態における操作部材とベースとの係合状態を示す正面図である。
【発明を実施するための形態】
【００２０】
以下に本発明の実施の形態を添付図面に基づいて説明する。
【００２１】
先ず、本発明に係る空調コントロール装置の構成を図１〜図７に基づいて以下に説明する。尚、図１は本発明に係る空調コントロール装置の分解斜視図、図２は同空調コントロール装置の正面図、図３は同空調コントロール装置の前面パネルを取り外して示す側面図、図４は同空調コントロール装置の前面パネルを取り外して示す平面図、図５は図２のＡーＡ線断面図、図６は図２のＢ−Ｂ線断面図、図７は操作部材の背面図である。
【００２２】
本発明に係る空調コントロール装置１は、図２に示すように、車両の不図示のセンタパネルに取り付けられた前面パネル２に露出する操作ノブ３をユーザーが横方向にスライド操作することによって不図示の空調装置の温度調整を行い、同前面パネル２の右端部に突出する丸いダイヤルノブ４を回動操作することによって送風モードを切り替えるものである。
【００２３】
上記前面パネル２は樹脂にて一体成形され、図１及び図２に示すように、横方向に細長い矩形部２Ａとその右端に位置する円環部２Ｂとを一体に備えている。そして、この前面パネル２の矩形部２Ａの中央部には横方向に細長い矩形のノブ挿通孔２ａが形成され、このノブ挿通孔２ａには温度調整用の前記操作ノブ３が露出している（図２及び図６参照）。又、前面パネル２の円環部２Ｂには円孔状のダイヤル装着孔２ｂが開口しており（図１参照）、このダイヤル装着孔２ｂには送風モード切替用の前記ダイヤルノブ４が回動可能に装着されている。尚、図１及び図２に示すように、前面パネル２の前面のノブ挿通孔２ａの上方には調整温度を表示するための表示部５が設けられている。
【００２４】
上記前面パネル２の裏側には樹脂にて一体成形されたベース６が取り付けられている。即ち、図１に示すように、ベース６の前面側の上下左右の４箇所には円孔状のネジ孔６ａがそれぞれ形成されており、各ネジ孔６ａに挿通する不図示のネジを前面パネル２に裏側からねじ込むことによってベース６が前面パネル２の背面に取り付けられている。
【００２５】
又、図１、図３及び図６に示すように、ベース６の前面側の上下左右の４箇所には所定の左右幅を有する縦リブ状のレール状凸部６ｂが垂直に形成されており、左右の各上下に形成されたレール状凸部６ｂの中間高さ位置には左右方向に長い横リブ状の上下規制用レール部６ｃが一体に突設されている。そして、図１に示すように、ベース６の前面の前記上下規制用レール部６ｃを挟んでこれの上下には横方向に細長い矩形の照明用孔６ｄと貫通孔６ｅがそれぞれ形成されており、照明用孔６ｄの左右には操作ノブ３の左右の移動を規制するためのストッパ部６ｆ，６ｇがそれぞれ設けられている。ここで、右側のストッパ部６ｇは、図８に示すように弾性変形可能な係止爪として構成されており、その一部には規制面６ｇ１が形成されている。
【００２６】
更に、図１に示すように、ベース６の前面の前記貫通孔６ｅの左右（操作ノブ３の左右の移動限）にはＶ溝状のクリック用凹部６ｈがそれぞれ形成され、これらのクリック用凹部６ｈの近傍には後述の操作部材７の組付位置を決めるための位置決め部６ｉがそれぞれ形成されている。
【００２７】
ところで、ベース６には横方向に細長い矩形プレート状の操作部材７が横方向にスライド可能に保持されており、この操作部材７の前面の中央部には図１に示すように中空状の前記操作ノブ３が前方に向かって一体に突設され、操作部材７の後面の操作ノブ３の下方には図７に示すように横方向に長いラック状の第１ギヤ部７ａが一体に形成されている。ここで、操作部材７においては、操作ノブ３と第１ギヤ部７ａとは上下方向に離して配置されている。尚、操作ノブ３の前面には縦スリット状の照明窓３ａ（図１参照）が形成されており、図６に示すように操作ノブ３の内部には中空状の透明なレンズ８が嵌め込まれており、このレンズ８の前面に突設された縦リブ状の突部８ａは操作ノブ３の照明窓３ａに嵌合して操作ノブ３の前面に露出している。
【００２８】
又、図７に示すように、操作部材７の後面の第１ギヤ部７ａの下方の幅方向中央下部にはブロック状のクリック機構収納部７Ａが一体に突設されており、このクリック機構収納部７Ａに形成された円穴状の凹部７ｂには図６に示すようにボール９とこれをベース６側（後方）に付勢するスプリング１０が収容されている。ここで、ボール９は、ベース６の前面側に形成された左右の前記クリック用凹部６ｈ（図１参照）に選択的に係合することによって、操作ノブ３の左右の移動限において該操作ノブ３の移動にクリック感を付与する。尚、クリック機構収納部７Ａの左右の端面は当接部７ｃを構成しており（図７参照）、この当接部７ｃがベース６に形成された左右の前記位置決め部６ｉに当接することによって、組付時の操作部材７のベース６に対する左右方向の位置決めがなされる。
【００２９】
更に、図７に示すように、操作部材７の後面の上下左右には所定長さの（ベース６に形成された前記レール状凸部６ｂの長さよりも長い）レール状凹部７ｄが横方向に形成されており、操作ノブ３の左右であって、上下方向において上下のレール状凹部７ｄの間には上下規制用レール溝７ｅが形成されている。
【００３０】
而して、図３に示すように、操作部材７の後面に形成された前記レール状凹部７ｄにベース６の前記レール状凸部６ｂが嵌合するとともに、操作部材７の後面に形成された上下規制用レール溝７ｅにベース６の前記上下規制用レール部６ｃが嵌合することによって、操作部材７が上下方向のガタを規制されつつベース６に横方向にスライド可能に保持されている。尚、図７に示すように、操作部材７の後面の操作ノブ３の左右には操作部７ｆがそれぞれ形成されており、これらの操作部７ｆがベース６の左右のストッパ部６ｆ，６ｇ（図１参照）に当接することによって操作ノブ３の左右の移動が規制される。尚、本実施の形態では、ベース６のレール状凸部６ｂを形成し、操作部材７にレール状凹部７ｄを形成したが、ベース６にレール状凹部を形成し、操作部材７にレール状凸部を形成しても良い。
【００３１】
又、図６に示すように、ベース６の前面側にはプリント基板１１が垂直に取り付けられている。このプリント基板１１は、図１に示すように矩形プレート状に成形されており、その前面の上部左右には表示部照明用のＬＥＤ１２が実装され、下部左右には操作ノブ照明用のＬＥＤ１３が実装されている。そして、プリント基板１１が図６に示すようにベース６に垂直に取り付けられた状態では、該プリント基板１１の上部左右に実装された表示部照明用のＬＥＤ１２は、前面パネル２の前面上部に設けられた表示部５の後方に位置して該表示部５を裏面側から照明する。又、プリント基板１１の下部左右に実装された操作ノブ照明用のＬＥＤ１３は、ベース６に形成された照明用孔６ｄ内に収納されており、これらのＬＥＤ１３からの光は、レンズ８を経て操作ノブ３の照明窓３ａから外部に出射する。尚、図３及び図４に示すように、プリント基板１１の背面の上部には給電用のコネクタ１４が取り付けられている。
【００３２】
ところで、図１及び図４に示すように、ベース６の後部側にはプーリ収納部６Ａとアウタケーブル固定部６Ｂが一体に形成されており、プーリ収納部６Ａの底面中央には図６に示すように円柱状の支軸部６ｊが立設され、その周囲には円環状の周壁６ｋ（図６参照）が立設されている。尚、図４及び図６に示すように、前記支軸部６ｊの外周３箇所には弾性変形可能な係合爪６ｊ１が一体に形成されている。
【００３３】
而して、ベース６のプーリ収納部６Ａにはプーリ１５が回転可能に収容されている。ここで、プーリ１５は、図６に示すように内外二重筒状に一体成形されており、その内筒１５Ａをベース６の前記支軸部６ｊに嵌め込むとともに、外筒１５Ｂの内周をベース６の周壁６ｋの外周に嵌め込むことによってベース６に回転可能に支持されており、内筒１５Ａの下端内周に形成されたフランジ状突部１５ａを支軸部６ｊの外周に形成された３つの前記係合爪６ｊ１に係合させることによって該プーリ１５の支軸部６ｊからの抜けが防がれている。尚、図４及び図５に示すように、プーリ１５には位置決めピン挿通孔１５ｂが形成されている。
【００３４】
又、プーリ１５の内筒１５Ａの上端外周には図１に示すようにケーブル案内溝１５ｃが形成されており、このケーブル案内溝１５ｃにはケーブル１６のインナケーブル１６ａが巻装されている。ここで、ケーブル１６は、アウタケーブル１６ｂとこのアウタケーブル１６ｂの内部に摺動可能に通された前記インナケーブル１５ａとで構成されており、インナケーブル１６ａの一部は、プーリ１５の上部に形成されたＶ字状のインナケーブル固定部１５ｄに嵌め込まれ、ネジ（図４及び図５参照）１７によってプーリ１５に固定されるインナケーブル固定ピース１８のＶ字状突起１８ａによって押さえ込まれることによってプーリ１５に固定されている。そして、インナケーブル１６ａは、不図示の空調装置側に設けられたプーリに巻装されており、プーリ１５の回転は温度調整用ドアに伝達されて該温度調整用ドアが開閉されて所望の温度調整がなされる。
【００３５】
アウタケーブル１６ｂは、図４及び図５に示すようにベース６に横方向に形成された前記アウタケーブル固定部６Ｂに嵌め込まれ、ネジ１９によってアウタケーブル固定部６Ｂに取り付けられたアウタケーブル固定ピース２０によって押さえられてベース６のインナケーブル固定部６Ｂに固定されている。
【００３６】
更に、図１、図４及び図５に示すように、プーリ１５の外周下部にはセクタギヤ状の第２ギヤ部１５ｅが形成されており、この第２ギヤ部１５ｅと操作部材７の後面に形成された前記第１ギヤ部７ａとは図５に示すようにベース６に形成された貫通孔６ｅを介して互いに噛合している。
【００３７】
以上のように構成された空調コントロール装置１において、ユーザーが操作ノブ３を操作して操作部材７を左右にスライドさせると、その左右の移動は該操作部材７の第１ギヤ部７ａとプーリ１５の第２ギヤ部１５ｅを介してプーリ１５の回転に変換されるために該プーリ１５が回転し、プーリ１５のケーブル案内溝１５ｃに巻装されたインナケーブル１６ａが押し引きされて空調装置の温度調整用ドアが開閉され、これによって所望の温度調整がなされる。この場合、開閉部材７を横方向に長い矩形プレート状に成形したため、これを左右にスライドさせても、前面パネル２のノブ挿通孔２ａが操作部材７によって閉塞されて外観性が高められるとともに、照明光のノブ挿通孔２ａからの漏れが防がれる。
【００３８】
次に、本発明に係る空調コントロール装置１の組立手順を図８〜図１１に基づいて以下に説明する。
【００３９】
図８は操作部材をベースに組み込む前の状態を示す平断面図、図９（ａ）は操作部材をベースに組み込む途中の状態を示す平断面図、図９（ｂ）は同状態における操作部材とベースとの係合状態を示す正面図、図１０(ａ)操作部材をベースに組み込んで右端に移動させた状態を示す平断面図、図１０（ｂ）は同状態における操作部材とベースとの係合状態を示す正面図、図１１（ａ）は操作部材をベースに組み込んで左端に移動させた状態を示す平断面図、図１１（ｂ）は同状態における操作部材とベースとの係合状態を示す正面図である。
【００４０】
先ず、図８に示すようにベース６の支軸部６ｊにプーリ１５を装着し、該プーリ１５に形成された位置決めピン挿通孔１５ｂとベース６に形成された不図示の位置決めピン挿通孔に治具ピンを差し込んでプーリ１５をベース６に対して所定位置に位置決めする。そして、プリント基板１１をベース６にネジ等によって垂直に取り付ける。
【００４１】
次に、操作部材７を以下の要領でベース６にスライド可能に取り付ける。
【００４２】
即ち、図８に示す状態で、操作部材７のレール状凹部７ｄとベース６のレール状凸部６ｂとが前後方向に重なると操作部材７のベース６への組み付けができないため、ベース６のレール状凸部６ｂの右端と操作部材７のレール状凹部７ｄの左端とが僅かにずれる横方向の位置に操作部材７を位置決めする。具体的には、操作部材７の後面に形成されたクリック機構収納部７Ａの側面である当接部７ｃ（図７参照）を図９（ｂ）に示すようにベース６の位置決め部６ｉ（図１参照）に当接させることによって、操作部材７のレール状凹部７ｄとベース６のレール状凸部６ｂの対向する側の各端面が横方向に第１ギヤ部７ａ及び第２ギヤ部１５ｅのギヤの１ピッチ以内の長さ範囲でずれた位置となるよう操作部材７がベース６に対して横方向に位置決めされる。
【００４３】
上述のように操作部材７がベース６に対して横方向に位置決めされると、操作部材７を後方側（図８の矢印方向）に移動させる。そして、操作部材７をベース６に向かって後方側に押し込むと、図９（ａ）に示すように操作部材７の操作部７ｆがベース６のストッパ部６ｇを押圧するため、該ストッパ部６ｇが弾性変形して後方側に撓む。そして、この状態から操作部材７のレール状凹部７ｄとベース６のレール状凸部６ｂの端面同士を対向させ、操作部材７を左側に移動させるとレール状凹部７ｄ内にレール状凸部６ｂが挿入され、操作部材７がベース６にスライド可能に保持されるとともに、操作部材７の操作部７ｆとベース６のストッパ部６ｇとの係合が解除される。すると、ベース６のストッパ部６ｇは、図１０（ａ）に示すように弾性復元して元の位置に戻る。
【００４４】
以上のように、操作部材７はベース６に対して前述の組付位置でなければ組み付けができず、その組付位置で操作部材７をベース６に組み付けることによって該操作部材７の第１ギヤ部７ａとプーリ１５の第２ギヤ部１５ｅとを所定の噛み合い位置で確実に噛合させることができる。
【００４５】
次に、操作ノブ３を前面パネル２のノブ挿通孔２ａの左右方向中央位置に移動させ、図１０（ａ）に示すように、ケーブル１６のインナケーブル１６ａをプーリ１５のケーブル案内溝１５ｃに巻装し、このインナケーブル１６ａをインナケーブル固定ピース１８を用いてプーリ１５に固定し、アウタケーブル１６ｂをアウタケーブル固定ピース２０を用いてベース６に固定する。
【００４６】
そして、最後にベース６の前面側に前面パネル２をネジで固定すれば、空調コントロール装置１の組み付けが完了する。このように空調コントロール装置１が組み付けられると、図１０に示すように操作部材７の操作部７ｆがベース６のストッパ部６ｇの規制面６ｇ１に当接することによって該操作部材７の右方向の移動が規制されるとともに、図１１に示すように操作部材７の操作部７ｆがベース６のストッパ部６ｆに当接することによって該操作部材７の左方向の移動が規制される。従って、操作部材７は、その移動範囲が所定の操作範囲内に規制され、この操作範囲内では、操作部材７のレール状凹部７ｄとベース６のレール状凸部６ｂとの嵌合が維持されて操作部材７のベース６からの脱落が防がれる。
【００４７】
以上において、本発明に係る空調コントロール装置１においては、ユーザーが操作ノブ３を操作して操作部材７をベース６に対してスライドさせれば、操作ノブ３のスライド操作力が操作部材７の第１ギヤ部７ａとプーリ１５の第２ギヤ部１５ｅを経てプーリ１５に回転力として伝達されるため、該プーリ１５が回動してこれに巻装されたインナケーブル１６ａが押し引き操作され、該インナケーブル１６ａに連なる空調装置が制御される。このような構成にはレバーを使用しないため、空調装置の温度調整用ドア等を作動させるために必要なインナケーブル１６ａの移動量を従来のようにレバーの長さを長くすることなく確保することができ、これによって空調コントロール装置１の奥行き幅を縮小して当該空調コントロール装置１の小型化を図ることができる。
【００４８】
又、２線式のケーブルを用いているため、」プーリ１５に巻装されたケーブル１６を多少曲げて配設しても、操作ノブ３の操作力に与える影響は軽微であるため、ケーブル１６との干渉を避けるためにグローブボックスを変形させる等の対応が不要となり、グローブボックスの容量が減少する等の不具合の発生が防がれる。
【００４９】
更に、本発明に係る空調コントロール装置１では、操作部材７において操作ノブ３と第１ギヤ部７ａとを上下方向に離して配置したため、操作ノブ３の背面側に照明用のＬＥＤ１３を配置することができ、導光用のレンズ等を用いることなく、簡単な構成で操作ノブ３を照明することができる。そして、ベース６に形成された貫通孔６ｅを介して操作部材７の１ギヤ部７ａとプーリ１５の第２ギヤ部１５ｅとを噛合させることができる。
【００５０】
又、本発明に係る空調コントロール装置１においては、第１ギヤ部７ａが設けられた操作部材７を所定の組付位置に位置決めする位置決め部６ｉをベース６に設けたため、第１ギヤ部７ａと第２ギヤ部１５ｅとを所定の噛み合い位置で容易に噛合させることができ、当該空調コントロール装置１の組付性が高められる。
【００５１】
そして、本発明に係る空調コントロール装置１の組み付けにおいては、操作部材７のレール状凹部７ｄとベース６のレール状凸部６ｂが前後方向に重なる位置ではベース６と操作部材７の組み付けができず、レール状凹部７ｄとレール状凸部６ｂが前後方向に重ならないように両者をずらす横方向にはそのずれ量がベース６の位置決め部６ｉによって所定の値（第１及び第２ギヤ部７ａ，１５ｅのギヤの１ピッチ以内の長さ範囲）に規制される。従って、操作部材７はベース６の位置決め部６ｉによって位置決めされる所定の組付位置でなければベース６に組み付けることができず、操作部材７の第１ギヤ部７ａとプーリ１５の第２ギヤ部１５ｅとを所定の噛み合い位置で確実に噛合させて組み付けることができる。
【００５２】
又、本発明に係る空調コントロール装置１の組み付けにおいて、ベース６に設けられたストッパ部６ｇは、弾性変形によって操作部材７の操作範囲内への移動を許容するとともに、操作部材７が操作範囲内へ一旦挿入された後は弾性復帰して操作部材７の操作範囲外への移動を阻止するため、操作部材７をベース６に装着した後に別部材のストッパ部を後からベース６に固定する等の作業が不要となり、当該空調コントロール装置１の構造の単純化と組付性の向上が図られる。
【符号の説明】
【００５３】
１          空調コントロール装置
２          前面パネル
２Ａ        前面パネルの矩形部
２Ｂ        前面パネルの円環部
２ａ        前面パネルのノブ挿通孔
２ｂ        前面パネルのダイヤル装着孔
３          操作ノブ
３ａ        操作ノブの照明窓
４          ダイヤルノブ
５          表示部
６          ベース
６Ａ        ベースのプーリ収納部
６Ｂ        ベースのアウタケーブル固定部
６ａ        ベースのネジ孔
６ｂ        ベースのレール状凸部
６ｃ        ベースの上下規制用レール部
６ｄ        ベースの照明用孔
６ｅ        ベースの貫通孔
６ｆ，６ｇ  ベースのストッパ部
６ｇ１      ストッパ部の規制面
６ｈ        ベースのクリック用凹部
６ｉ        ベースの位置決め部
６ｊ        ベースの支軸部
６ｊ１      支軸部の係合爪
６ｋ        ベースの周壁
７          操作部材
７Ａ        操作部材のクリック機構収容部
７ａ        操作部材の第１ギヤ部
７ｂ        操作部材の凹部
７ｃ        操作部材の当接部
７ｄ        操作部材のレール状凹部
７ｅ        操作部材の上下規制用レール溝
７ｆ        操作部材の操作部
８          レンズ
８ａ        レンズの凸部
９          ボール
１０        スプリング
１１        プリント基板
１２，１３  ＬＥＤ（光源）
１４        コネクタ
１５        プーリ
１５Ａ      プーリの内筒
１５Ｂ      プーリの外筒
１５ａ      プーリのフランジ状凸部
１５ｂ      プーリの位置決めピン挿通孔
１５ｃ      プーリのケーブル案内溝
１５ｄ      プーリのインナケーブル固定部
１５ｅ      プーリの第２ギヤ部
１６        ケーブル
１６ａ      インナケーブル
１６ｂ      アウタケーブル
１７        ネジ
１８        インナケーブル固定ピース
１８ａ      インナケーブル固定ピースのＶ字状突起
１９        ネジ
２０        アウタケーブル固定ピース
【図１】
0005873697.tif 000002
【図２】
0005873697.tif 000003
【図３】
0005873697.tif 000004
【図４】
0005873697.tif 000005
【図５】
0005873697.tif 000006
【図６】
0005873697.tif 000007
【図７】
0005873697.tif 000008
【図８】
0005873697.tif 000009
【図９】
0005873697.tif 000010
【図１０】
0005873697.tif 000011
【図１１】
0005873697.tif 000012